(57)【要約】【課題】腰椎を重点的に牽引することが可能であり、大掛かりな又は複雑な構造の装具・装置を必要とすることなく、自宅でも手軽に牽引可能な腰椎牽引具を提供する。【解決手段】装着帯と懸吊帯とからなり横桟などへぶら下がって使用する。人間の胴囲に巻回可能な長さを有する装着帯には、左右両端部の表裏面には腹部で互いを重ね合わせて係着させる着脱自在な係着手段を設け、上縁部は装着時に肋骨の傾斜に沿う形状とし、腰背部外側面に係合手段甲を具備する。懸垂時に人間の体重を支持可能な引張り強さを有する懸吊帯には、左右両端部に横桟などへ掛止する掛止部を設け、前記係合手段甲と係合する係合手段乙を具備する。装着帯を腰に巻回した使用者は吊るされた懸吊帯の係合手段乙に装着帯の係合手段甲を引っ掛けて、これにぶら下がって腰椎を牽引する。【選択図】図１
0003174541.tif 000002
【実用新案登録請求の範囲】
【請求項１】
横桟などに懸垂して使用する、装着帯と懸吊帯とからなる腰椎牽引具であって、
該装着帯は、
人間の胴囲に巻回可能な長さを有し、
左右両端部の表裏面には腹部で互いを重ね合わせたときに係着状態となる
着脱自在な係着手段を設け、
上縁部は装着時に肋骨の傾斜に沿う形状とし、
腰背部外側面に係合手段甲を具備してなり、
前記懸吊帯は、
懸垂時に人間の体重を支持可能な引張り強さを有し、
左右両端部には横桟などへ掛止する掛止部を設け、
前記係合手段甲と係合する係合手段乙を具備した
腰椎牽引具。
【請求項２】
横桟などに懸垂して使用する、装着帯と懸吊帯とからなる腰椎牽引具であって、
該装着帯は、
人間の胴囲に巻回可能な長さを有し、
左右両端部の表裏面には腹部で互いを重ね合わせたときに係着状態となる
着脱自在な係着手段を設け、
上縁部は装着時に肋骨の傾斜に沿う形状とし、
腰背部外側面に係合手段甲を具備してなり、
前記懸吊帯は、
懸垂時に人間の体重を支持可能な引張り強さを有し、
左右両端部には横桟などへ掛止する掛止部を設け、
懸垂時に前記係合手段甲を懸吊帯に引っ掛けて使用する
腰椎牽引具。
【請求項３】
横桟などに懸垂して使用する、装着帯と懸吊帯とからなる腰椎牽引具であって、
該装着帯は、
人間の胴囲に巻回可能な長さを有し、
左右両端部の表裏面には腹部で互いを重ね合わせたときに係着状態となる
着脱自在な係着手段を設け、
上縁部は装着時に肋骨の傾斜に沿う形状とし、
腰背部外側面に係合手段甲´を選択的に具備してなり、
該係合手段甲´は、
装着帯の両端から略均等な位置に一体的若しくは固定的に設けられ、
上部は下部より肉厚とし、
懸吊帯との接触面には耐滑性を備えた素材又は部材を配し、
前記懸吊帯は、
懸垂時に人間の体重を支持可能な引張り強さを有し、
左右両端部には横桟などへ掛止する掛止部を設け、
懸垂時、装着帯との接触面に係合手段乙´を選択的に具備してなり、
該係合手段乙´は、
懸吊帯の両端から略均等な位置に一体的若しくは固定的に設けられ、
上部は下部より肉厚とし、
装着帯との接触面には耐滑性を備えた素材又は部材を配した
構成において、
係合手段甲´及び／又は係合手段乙´を備えた腰椎牽引具。
【考案の詳細な説明】
【技術分野】
【０００１】
この考案は、一般には牽引具に関し、主に腰椎を牽引する牽引具に関する。
【背景技術】
【０００２】
脊椎を牽引するための器具の一つに、上部バーを握ってぶら下がるタイプのものが知られている。しかし、該器具によれば、両手に全体重がかかることから握力や腕力が弱い人は短時間しかぶら下がっていることができず、牽引の効果が十分でないという欠点があった。
この点、特許文献１に示す「骨格調整腰痛治療器」によれば、少なくとも握力や腕力が牽引の効果を左右することはない。この骨格調整腰痛治療器は、支持棒（３）に取り付けられた身体固定器具（４）を胸部に着装し、ぶら下がって利用するものである。
【０００３】
また、特許文献２に示す「ぶら下がり健康器具」が知られている。このぶら下がり健康器具は、支持枠（３）の上部バー（６）からロープ（４）を介して吊り下げられた輪状のベルト（２）で身体を絞り、ロープ（４）を張った状態を保つ為のフック（５）を側柱に、下部に踏み台（１）を備え、足首に砂袋（７）を取り付けてぶら下がって利用するものである。
【０００４】
また、特許文献３に示す「宙吊り式健康器具」が知られている。この宙吊り式健康器具は、丸棒状でクッション性及び可撓性のある身体支持部（１０）と、該身体支持部の両端から延出し、各端部が自由端である係着ロープ（２０）とからなる。該２本の係着ロープ（２０）を水平パイプに掛け、水平パイプと宙吊り式健康器具とによってできた輪の中に体を潜らせて身体支持部を背中から両脇にかけての位置にくるように装着し、身体支持部（１０）に上半身を支持させ、ブランコを乗るときのように左右の係着ロープ（２０）を手で持ち、足を床から浮き上がらせて使用する。
【０００５】
また、特許文献４に示す「腰椎の牽引装具」が知られている。この腰椎の牽引装具は、ベッド上でモーターや油圧シリンダーなどにより作動する牽引機で使用される装具であり、三角状に形成した帆布などの布体に牽引帯や膝曲げ用保持杆を設けてなることを特徴とする。
【０００６】
また、特許文献５に示す「脊椎牽引機」が知られている。この脊椎牽引機は、被牽引者自身で装着操作、牽引力の調整、装着解除等が仰臥位にて簡単にできる構造であり、吊り上げバー、カム式ジャッキ、保持ベルトを用いて身体を吊り上げる方法と、床板を下げる構造により自重で下がろうとする重力により牽引する方法により脊椎を牽引することを特徴とする。
【先行技術文献】
【特許文献】
【０００７】
【特許文献１】実開平０１−１７８０１３号公報
【特許文献２】特開２００１−３３３９２７号公報
【特許文献３】実用新案登録第３１３９９３３号公報
【特許文献４】特公昭６３−３００２１号公報
【特許文献５】特開２０００−２４５７６０号公報
【考案の概要】
【考案が解決しようとする課題】
【０００８】
しかし、上記特許文献１に開示された技術では、身体固定器具を「胸部」に着装するため、使用者の自重により該固定器具はずり上がってしまい、結果、脇の下でぶら下がる格好となるため、主に腰椎を牽引するという構成にはなっていない。
【０００９】
また、上記特許文献２に開示された技術では、輪状のベルトを胸前で上方に引張り上げる構成のため両脇が引き絞られ、胸が締め付けられるので苦痛を覚えるおそれがある。また、同上、自重により該ベルトはずり上がってしまい、結果、脇の下でぶら下がる格好となるため、主に腰椎を牽引するという構成にはなっていない。
【００１０】
さらに、上記特許文献３に開示された技術によっても同様、同文献中「水平パイプと宙吊り式健康器具とによってできた輪の中に体を潜らせて身体支持部を背中から『両脇』にかけての位置に来るように装着し…」（段落「０００７」）と記載されているように、脇を支点として重力がかかるため、主に腰椎を伸ばす構造となってはいない。
【００１１】
一方、特許文献４に開示された技術によれば、主に腰椎を牽引することはできるものの、該装具は大掛かりな構成であるため、手軽に使用するという点で改善の余地がある。また、該装具を一般家庭で使用するとなると、我が国の住宅事情から設置場所に困り、不使用時の収納にも困る結果、普及しづらい。
【００１２】
特許文献５に開示された技術についても、大掛かりで、且つ複雑な装置を要することから手軽に牽引可能な技術とはいえず、同上、普及性の問題が残る。
【００１３】
そこで本考案は、腰椎を重点的に牽引することが可能であり、且つ大掛かりな、或いは複雑な構造の装具・装置を必要とすることなく、自宅でも手軽に牽引可能な牽引具を提供しようとするものである。
【課題を解決するための手段】
【００１４】
請求項１に記載の腰椎牽引具は、装着帯と懸吊帯とからなり、該装着帯は人間の胴囲に巻回可能な長さを有し、左右両端部の表裏面には腹部で互いを重ね合わせたときに係着状態となる着脱自在な係着手段を設け、上縁部は装着時に肋骨の傾斜に沿う形状とし、腰背部外側面に係合手段甲を具備してなるとともに、前記懸吊帯は、懸垂時に人間の体重を支持可能な引張り強さを有し、左右両端部には横桟などへ掛止する掛止部を設け、前記係合手段甲と係合する係合手段乙を具備したことを特徴とする。
【００１５】
請求項２に記載の腰椎牽引具は、装着帯と懸吊帯とからなり、該装着帯は人間の胴囲に巻回可能な長さを有し、左右両端部の表裏面には腹部で互いを重ね合わせたときに係着状態となる着脱自在な係着手段を設け、上縁部は装着時に肋骨の傾斜に沿う形状とし、腰背部外側面に係合手段甲を具備してなるとともに、前記懸吊帯は、懸垂時に人間の体重を支持可能な引張り強さを有し、左右両端部には横桟などへ掛止する掛止部を設け、懸垂時に前記係合手段甲を懸吊帯に引っ掛けて使用することを特徴とする。
【００１６】
また、請求項３に記載の腰椎牽引具は、装着帯と懸吊帯とからなり、該装着帯は、人間の胴囲に巻回可能な長さを有し、左右両端部の表裏面には腹部で互いを重ね合わせたときに係着状態となる着脱自在な係着手段を設け、上縁部は装着時に肋骨の傾斜に沿う形状とし、腰背部外側面に係合手段甲´を選択的に具備してなるとともに、該係合手段甲´は、装着帯の両端から略均等な位置に一体的若しくは固定的に設けられ、上部は下部より肉厚とし、懸吊帯との接触面には耐滑性を備えた素材又は部材を配し、前記懸吊帯は、懸垂時に人間の体重を支持可能な引張り強さを有し、左右両端部には横桟などへ掛止する掛止部を設け、懸垂時、装着帯との接触面に係合手段乙´を選択的に具備してなるとともに、該係合手段乙´は、懸吊帯の両端から略均等な位置に一体的若しくは固定的に設けられ、上部は下部より肉厚とし、装着帯との接触面には耐滑性を備えた素材又は部材を配した構成において、係合手段甲´及び／又は係合手段乙´を備えたことを特徴とする。
【考案の効果】
【００１７】
本考案の構成によれば、腰椎を重点的に牽引することが可能となる。つまり、牽引の支点、つまり係合手段甲と係合手段乙とが係合する位置が、胸椎１２番と腰椎１番の境界若しくはその近傍に相当する高さとなるため、懸垂時に下半身の荷重が腰椎以下へ作用し、これを牽引することが可能となる。
【００１８】
そして、装着帯上縁部が、肋骨の傾斜、つまり脊椎から内臓を取り囲む形で弓状に湾曲するとともに、下方へ傾きながら腹方に向かう骨格上の特徴を考慮して形成されているため、装着時に上縁部をこの傾きに合わせることで、牽引の最中に装着帯１がずり上がることなく安定して腰椎を牽引することができる。
【００１９】
また、牽引に必要なのは装着帯と懸吊帯の２本の帯だけなので、体重を支える横桟等さえ確保できれば、一般家庭でも手軽に腰椎を重点的に牽引することができ、我が国の住宅事情を考慮しても設置場所や収納場所には困らない。
【図面の簡単な説明】
【００２０】
【図１】装着帯の構成図である。
【図２】懸吊帯の構成図である。
【図３】係合手段の一例を示す図である。
【図４】装着した装着帯を背面から見た説明図である。
【図５】装着した装着帯を側面から見た説明図である。
【図６】装着した装着帯を正面から見た説明図である。
【図７】本考案の使用状態を示す図である。
【図８】係合手段の変形例１を示す図である。
【図９】係合手段の変形例２を示す図である。
【図１０】他の例による装着帯の構成図である。
【図１１】他の例による懸吊帯の構成図である。
【図１２】他の例による係合状態を示す説明図である。
【図１３】他の例による係合状態を示す説明図である。
【図１４】他の例による係合状態を示す説明図である。
【考案を実施するための形態】
【００２１】
〔第一の実施形態〕
本考案の第一の実施形態を図１〜図７に基づき説明する。
これらの図面中、図１ａは装着帯外側面の構成図、図１ｂは装着帯内側面の構成図、図２ａは懸吊帯内側面の構成図、図２ｂは懸吊帯外側面の構成図、図３ａは係合手段の一例を示す拡大斜視図、図３ｂは係合手段甲・乙及びその周辺構造と両係合手段の係合状態を示す断面図である。
【００２２】
装着帯１は、装着帯基部１０、係合手段甲１１ａ、緊締補助帯１２ａ・１２ｂ、係着手段１３，１４、耐滑部ｔから構成される（図１）。以下、各構成要素につき詳述する。
【００２３】
装着帯基部１０（図１ａ）は、通気性を備えた布製とし、本考案の用途に鑑みれば全体として若干の伸縮性があることが望ましい。装着帯上縁部Ｐは腰背部から体側にかけての肋骨の傾斜に沿う形状とし（図４〜図６）、これにより装着帯を身体により密着巻回させることができる。
【００２４】
係合手段甲１１ａ（図１ａ）は、装着時、腰背部において外方へ向けて突出するように（図５）、装着帯１に予め設けられている。合成樹脂を公知の方法で所望の形状及び硬度に成型した硬質弾性体である。素材は天然樹脂を用いてもよい。尚、表面は素材由来によるもののほか、シリコンコーティングやラバーコートスプレー加工その他公知の方法により耐滑性を付与した。
【００２５】
係合手段甲１１ａ（図１ａ）は、横１０ｃｍ（ｈ１）、縦６ｃｍ（ｈ２）、高さ２ｃｍ（ｈ３）とする（図３）。
尚、想定する使用者の体格など必要に応じて、適宜、サイズを変更してよい。
【００２６】
係合手段甲１１ａの装着帯１への取り付けは、装着帯基部１０内に板状体（ｗ）を部分的に内包し、これを介して該係合手段１１ａを裏面よりビス（ｖ）で固定する（図３ｂ）。
尚、接着剤など本考案の使用に耐え得るその他の取付け手段、構成、方法を排除するものではない。
【００２７】
係着手段１３（図１ａ）は、面ファスナー（ループ面）であり、胴囲に巻き付けるとき、面ファスナー（フック面）を配した係着手段１４をここに係着して装着帯１を装着する（図６）。
【００２８】
緊締補助帯１２ａ・１２ｂ（図１ａ）は、装着帯１０の外側面に沿って巻回し、装着帯の身体への装着を増締するための補助帯である。腰背部上部からその一端を左右対象に緊締補助体固定部（１２２）に固定し（１２ａ，１２ａ）、腰背部下部からその一端を左右対称に緊締補助体固定部（１２２）に固定し（１２ｂ，１２ｂ）、他端において夫々１２ａと１２ｂとを結合して緊締補助帯結合片（１２１，１２１）を形成する（図１ａ）。緊締時には該結合片裏面に設けた面ファスナー（フック面）１４を装着帯１の面ファスナー（ループ面）１３に係着させる。該緊締補助帯１２は、生ゴム又はポリウレタン弾性繊維その他弾性素材を使用する。
【００２９】
耐滑部t（図１ｂ）は、装着帯１の裏面、即ち身体の腰背面に接する側に設けた構成であり、牽引の最中に装着帯１がずり上がらないよう、シリコンコーティングやラバーコートスプレー加工その他公知の方法により滑り止めを施したものである。
尚、該部位の形状、位置、配置の数は図示されたものに限られない。
【００３０】
ここで、腰背部上部の緊締補助体を腰背部下部の緊締補助体よりも幅広とするバリエーションの構成（図示せず）によれば、前記装着帯上端Ｐを肋骨の傾斜により密着させることが可能となる。
【００３１】
尚、装着帯基部のみの伸縮性により密着巻回が可能で、牽引の最中に装着帯１がずり上がることなく懸吊状態を維持できれば、緊締補助帯１２は必ずしも必要ではない。
【００３２】
懸吊帯２は、装着帯基部２０、係合手段乙２１、掛止部２２から構成される（図２）。以下、各構成要素につき詳述する。
【００３３】
懸吊帯基部２０は、伸縮性のない布製とし、中央部を幅広とし、且つ、上縁と下縁のカーブのアールを変えて一方へ湾曲した形状をなす（図２）。
【００３４】
係合手段乙２１ａは、係合手段甲１１ａと係合するように懸吊帯２の一方の面に設けられてなる（図２ａ）。係合手段乙２１ａは係合手段甲１１ａと同様に合成樹脂を公知の方法で所望の形状及び硬度に成型した硬質弾性体である。素材は天然樹脂を用いてもよい。
尚、表面は素材由来によるもののほか、シリコンコーティングやラバーコートスプレー加工その他公知の方法により耐滑性を付与した。
【００３５】
係合手段乙２１ａは横１０ｃｍ（ｈ１）、縦６ｃｍ（ｈ２）、高さ２ｃｍ（ｈ３）とする（図３）。
尚、想定する使用者の体格など必要に応じて、適宜、サイズを変更してよい。
【００３６】
係合手段乙２１ａの懸吊帯２への取り付けは、懸吊帯基部２０内に板状体（ｗ）を部分的に内包し、これを介して該係合手段乙２１ａを裏面よりビス（ｖ）で固定する（図３ｂ）。
尚、接着剤など本考案の使用に耐え得るその他の取付け手段、構成、方法を排除するものではない。
【００３７】
掛止部２２は、懸吊帯２を支持桟３（図７）へ掛止するために懸吊帯２の両端に設けたものである（図２）。
尚、本実施の形態においては詳述しないが、使用者の身長に応じて懸吊帯の全長を変更できるよう、ベルト式や螺子式その他公知の長さ調節機構を具備した態様としてもよい。
【００３８】
係合手段甲１１ａ及び係合手段乙２１ａは、図３ａに示すように、一方に偏った隆起部を畝状に形成してなり、図３ｂに示すように、牽引時には上下逆に係合するように装着帯１と懸吊体２に夫々配したものである。
【００３９】
次に、本実施の形態における腰椎牽引具の使用方法を説明する。
使用者は装着帯１を胴囲に巻き付ける。このとき、装着帯上縁部ｔを肋骨の傾斜に沿って巻き付けることが肝要である（図４〜図６）。即ち、肋骨は脊椎から内臓を取り囲む形で、弓状に湾曲するとともに、下方へ傾きながら腹方に向かうため、装着帯１の上縁部ｔをこの傾きに合わせて装着することで、牽引の最中に装着帯１がずり上がらないよう、密着して巻き付けることができる。
【００４０】
一方、懸吊帯２は両端に設けた掛止部２２を支持桟３（図７）に引っ掛けてぶら下げておく。そして、使用者は踏み台等（図示せず）に乗り、胴囲に巻き付けた装着帯を懸吊帯に向けて背中から預けるようにして装着帯１の背部に設けた係合手段１１ａを懸吊帯２に設けた係合手段２１ａに係合させた後（図３ｂ）、前記踏み台を外してぶら下がる。
このとき、使用者は支持桟３を握ってぶら下がる必要はなく、若干後方へ反り返った状態を維持するようバランスをとる程度でよい。
【００４１】
牽引の際には、図３ｂに示すように、係合手段甲１１ａの隆起部下面は係合手段乙２１ａの隆起部上面に係合しているため、使用者の荷重により共に弾性変形が生じて互いにより密着する。耐滑性を備えた表面特性も相俟って係合状態が容易に解かれることはない。
【００４２】
降りるときには、再び踏み台等に上がり、係合手段１１ａと係合手段２１ａとの係合状態を解く。該係合手段は一方に偏った隆起部を畝状に形成しただけであるため、係合状態を解くことは容易である。
【００４３】
本実施形態によれば、牽引の支点、つまり係合手段甲と係合手段乙とが係合する位置が、胸椎１２番と腰椎１番の境界若しくはその近傍に相当する高さとなるため、懸垂時に下半身の荷重が腰椎以下へ作用し、これを牽引することが可能となる。
そして、装着帯上縁部Ｐは腰背部から体側にかけての肋骨の傾斜に沿う形状としたことから、装着帯を身体により密着巻回させることができる結果、牽引時においても装着帯１がずり上がることなく牽引状態を維持することができる。
また、牽引に必要なのは装着帯と懸吊帯の２本の帯だけなので、体重を支える横桟等さえ確保できれば、一般家庭でも手軽に腰椎を重点的に牽引することができ、我が国の住宅事情を考慮しても設置場所や収納場所には困らない。
【００４４】
尚、バリエーションを例示すると、懸吊帯２に係合手段乙２１ａを設けず、その他の構成は上記実施の形態と同じとした場合であって、牽引時に装着帯１の係合手段甲１１ａを懸吊帯２の一部に引っ掛けてぶら下がることとしてもよい。
【００４５】
〔変形例１〕
以下、本実施の形態の変形例１を図８に基づき説明する。
この図面中、図８ａは本実施形態の係合手段の変形例１を示す斜視図、図８ｂは該変形例１による係合状態を示す説明図である。
【００４６】
変形例１は、本実施形態における係合手段のバリエーションに関するものであり、該係合手段以外の構成は上記実施の形態で開示した内容と同じである。
【００４７】
本変形例では、図８ａに示すように、係合手段甲１１ｂと係合手段乙２１ｂを嵌合可能な形状とした。このような形状とすることで、牽引時に両係合手段が互いにしっかりと嵌合し、容易に係合状態が解かれない効果を奏する（図８ｂ）。
【００４８】
先の実施形態によればバランスをとるのが困難な使用者であっても、本変形例によれば一定時間、容易にぶら下がることができる。
【００４９】
〔変形例２〕
以下、本実施の形態の変形例２を図９に基づき説明する。
この図面中、図９ａは本実施形態の係合手段甲の変形例２を示す斜視図、図９ｂは本実施形態の係合手段乙の変形例２を示す斜視図、図９ｃは変形例２に基づく係合状態を示す説明図である。
【００５０】
変形例２は、本実施形態における係合手段のバリエーションに関するものであり、該係合手段以外の構成は上記実施の形態で開示した内容と同じである。
【００５１】
本変形例では、係合手段甲１１ｃ（図９ａ）と係合手段乙２１ｃ（図９ｂ）の形状が異なる点で前述の実施の形態及び変形例１と相違する。
図９に示すように、係合手段甲１１ｃの突出した部位、つまり係合手段乙２１ｃに当接する先端部位（ｘ）を外側へ湾曲させ、係合手段乙２１ｃの対応する部位（ｘ´）もこれに合う形状に成型した。さらに、係合手段甲１１ｃの該先端部下方（ｙ）も下側へ湾曲させ、係合手段２１ｃの対応する部位（ｙ´）もこれに合う形状に成型した（図９ｃ）。
【００５２】
本変形例によれば、係合手段甲１１ｃの突出した部位（ｘ，ｙ）が外側、下側へ湾曲して係合手段２１ｃの夫々対応する部位（ｘ´，ｙ´）もこれに合う形状としたことで、両係合手段が安定して懸吊状態を維持可能な嵌合構造であるにもかかわらず、係合状態を解くときには身体を少し捻ることで容易に嵌合状態を解くことが可能となる。
【００５３】
〔第二の実施形態〕
以下、本考案の第二の実施形態を主に図１０〜図１４に基づき説明する。
これらの図面中、図１０ａは本実施形態に係る装着帯外側面の構成図、図１０ｂは本実施形態に係る装着帯に使用する係合手段の拡大斜視図、図１１ａは本実施形態に係る懸吊帯の斜視図、図１１ｂは本実施形態に係る懸吊帯に使用する係合手段の拡大視図である。
【００５４】
装着帯1（図１０ａ）は、係合手段甲´として背当て係合片１１ｄ（図１０ａ，ｂ）を採用する。その他の構成は、第一の実施形態に準ずるものとし、本実施の形態を実施する上で必要な設計変更を適宜加えてなる。
尚、緊締補助帯は設けていない。
【００５５】
背当て係合片１１ｄは、装着時、外側に向かって湾曲して張り出し、左右両端から中心部にかけて肉厚（ア＞イ）に、また下部から上部にかけて肉厚（ウ＞エ）になるよう公知の製法により成型してなる（図１０ｂ）。素材は、本実施の形態の使用に耐え得る硬度を備えた合成樹脂を用いる。
面Ｑは後述する面Ｒとの接触面であり、合成ゴムや天然ゴムなどの耐滑性素材を貼付するものとする。
【００５６】
本実施の形態において、背当て係合片１１ｄは横２０ｃｍ（ｈ１）、縦１２ｃｍ（ｈ２）、上部の厚み３ｃｍ（ア）とし、想定する使用者の体格など必要に応じて、適宜、サイズを変更してよい。
【００５７】
装着帯１は、背当て係合片１１ｄと、１１ｄの両端において左右対称に延設される装着帯とからなり、背当て係合片１１ｄはその両端において左右装着帯とビス留め（ｖ）した構成とする（図１１ｂ）。
【００５８】
その他の構成例として、連続する一本の装着帯であって、中央部外側面に背当て係合片１１ｄを配し、内側面よりビス等で留めたり（図示せず）、装着帯中央部に収納部を設けて背当て係合片１１ｄを収納したりする構成としてもよい（図示せず）。さらには、装着帯と背当て係合片１１ｄとを合成樹脂その他該加工が可能な素材を用いて一体成型した構成のほか、本考案の特徴を備えている限り、あらゆる取付け手段、方法、全体構成を排除するものではない。
【００５９】
懸吊帯２は、係合手段乙´として背当て片２１ｄを採用する。その他の構成は、第一の実施形態に準ずるものとし、本実施形態を実施する上で必要な設計変更を適宜加えてなる。
【００６０】
背当て片２１ｄは、内側が上記背当て係合片１１ｄの張り出し形状（面Ｑ）に合うよう、面Ｒが形成され、中心部から左右両端にかけて肉薄（ア＞イ）に、また上部から下部にかけて肉厚（ウ＞エ）になるように成型してなる（図１１ｂ）。素材は、本実施の形態の使用に耐え得る硬度を備えた合成樹脂を用いる。面Ｒは後述する面Ｑとの接触面であり、合成ゴムや天然ゴムなどの耐滑性素材を貼付するものとする。
【００６１】
背当て係合片１１ｄと背当て片２１ｄをこのような形状としたのは、横桟等にぶら下げた懸吊帯２が帯状（平面）であることから、牽引時に生じる身体との間の隙間を埋めて摩擦係数を高めるべく広い面積で面Ｑと面Ｒとを接触せしめるためである。
【００６２】
背当て片２１ｄの横、縦、厚みの各サイズは、背当て係合片１１ｄと同程度とするが、想定する使用者の体格など必要に応じて、適宜サイズを変更することは許容され、背当て係合片１１ｄと同じサイズでなくとも構わない。
【００６３】
懸吊帯２は、背当て片２１ｄと、２１ｄの両端において左右対称に延設される懸吊帯とからなり、背当て片２１ｄはその両端において左右懸吊帯とビス留め（ｖ）した構成とする（図１１）。
【００６４】
その他の構成として、連続する一本の懸吊帯であって中央部に背当て片２１ｄを配し、反対面よりビス等で留めたり（図示せず）、懸吊帯中央部に収納部を設けて背当て片２１ｄを収納したりする構成としてもよい（図示せず）。さらには、懸吊帯と背当て片２１ｄとを合成樹脂その他該加工が可能な素材を用いて一体成型した構成のほか、本考案の特徴を備えている限り、あらゆる取付け手段、方法、全体構成を排除するものではない。
【００６５】
次に、本実施の形態における腰椎牽引具の使用方法を説明する。
前記第一の実施形態と同様に、使用者は装着帯１を胴囲に巻き付ける。このとき、装着帯上縁部ｔを肋骨の傾斜に沿って巻き付けることが肝要である（図４〜図６）。即ち、肋骨は脊椎から内臓を取り囲む形で、弓状に湾曲するとともに、下方へ傾きながら腹方に向かうため、装着帯１の上縁部ｔをこの傾きに合わせて装着することで、牽引時に装着帯１がずり上がらないよう密着して巻き付けることができる。
【００６６】
一方、懸吊帯２は両端に設けた掛止部２２を支持桟３（図７）に引っ掛けてぶら下げておく。そして、使用者は踏み台等（図示せず）に乗り、胴囲に巻き付けた装着帯を懸吊帯に向けて背中から預けるようにして装着帯１の背部に設けた背当て係合片１１ｄを懸吊帯２に設けた背当て片２１ｄに係合させた後、前記踏み台を外してぶら下がる。使用者は支持桟を握ってぶら下がる必要はなく、若干後方へ反り返った状態を維持するようバランスをとる程度でよい（図１２）。
【００６７】
牽引時には、背当て係合片１１ｄの面Ｑと背当て片２１ｄの面Ｒとが面接触し、両面に配した耐滑性素材による表面特性により係合状態が簡単に解かれることはない。
【００６８】
降りるときには、該係合手段は面同士であるため、踏み台等に上がるだけで背当て係合片１１ｄと背当て片２１ｄとの係合状態を容易に解くことが可能である。
【００６９】
本実施形態によれば、前記実施の形態における凸状体の係合手段を意識することなく、ぶら下がったり、降りたりすることが可能となる。
【００７０】
〔変形例〕
以下、本実施の形態の変形例を説明する。
本変形例は、上記第二の実施形態において、面Ｑ及び面Ｒに貼付した合成ゴムや天然ゴムなどの耐滑性素材の代わりに、面ファスナーを各面に貼り付けたバリエーションを示すものであり、かかる点以外は前述の第二の実施形態と同じである。
【００７１】
本変形例では、面Ｑに面ファスナー（フック面）を、面Ｒに面ファスナー（ループ面）を配した態様とするが、フック面とループ面とを逆に配した態様としてもよい。また、必ずしも全面に貼付する必要はなく、本考案の使用に耐え得る限り一部のみとしてもよい。
【００７２】
本変形例によれば、上述した実施の形態に開示した凸状体の係合手段を意識することなく、ぶら下がったり、降りたりすることが可能となる。
【００７３】
第二の実施形態の更なるバリエーションを例示すると、懸吊帯２に係合手段乙´を設けず、懸吊帯２を一本の帯状体とし、懸垂時に装着帯１の背当て係合片１１ｄを懸吊帯２の一部に面接触させてぶら下がることとしてもよい（図１３）。この場合、懸吊帯２の、背当て係合片１１ｄが接する部位に耐滑性素材を設けるとなおよい。
【００７４】
また、装着帯１に係合手段甲´を設けず、装着帯１を一本の帯状体とし、懸垂時に懸吊帯２の背当て片２１ｄを装着帯1の腰背部に面接触させてぶら下がることとしてもよい（図１４）。この場合、装着帯１の、背当て片２１ｄが接する部位に耐滑性素材を設けるとなおよい。
【００７５】
また、係合手段甲´１１ｄの代わりに係合手段甲１１ａ〜１１ｃとして、係合手段乙´２１ｄと組み合わせて使用することとしてもよく、係合手段乙´２１ｄの変わりに係合手段乙２１ａ〜２１ｃとして、係合手段甲´１１ｄと組み合わせて使用することとしてもよい。この場合、凸状体の係合手段と面との係合となるため、面側の係合手段甲´１１ｄ又は係合手段乙´２１ｄを若干のクッション性を備えた素材を用いることが望ましい。
【００７６】
〔その他の実施形態〕
本考案の実施に際しては、前述の実施形態や各変形例、バリエーションに限定されるものではなく、必要に応じて適宜行なう設計変更は許容されるものとする。
【符号の説明】
【００７７】
１      装着帯
１０    装着帯基部
１１    係合手段甲
１２    緊締補助帯
１２１  緊締補助帯結合片
１２２  緊締補助体固定部
１３    面ファスナー（ループ面）
１４    面ファスナー（フック面）
２      懸吊帯
２０    懸吊帯基部
２１    係合手段乙
２２    掛止部
３      支持桟
Ｐ      装着帯上縁部
Ｑ，Ｒ  接触面
ｓ      係合手段甲乙がなす角度
ｔ      耐滑部
ｖ      ビス
ｗ      板状体
【図１】
0003174541.tif 000003
【図２】
0003174541.tif 000004
【図３】
0003174541.tif 000005
【図４】
0003174541.tif 000006
【図５】
0003174541.tif 000007
【図６】
0003174541.tif 000008
【図７】
0003174541.tif 000009
【図８】
0003174541.tif 000010
【図９】
0003174541.tif 000011
【図１０】
0003174541.tif 000012
【図１１】
0003174541.tif 000013
【図１２】
0003174541.tif 000014
【図１３】
0003174541.tif 000015
【図１４】
0003174541.tif 000016